(57)【要約】【課題】対象物を吊り上げたときに構成部材が座屈変形するのを抑制することができる吊り上げ装置、搬送装置、画像形成装置を得る。【解決手段】液滴吐出ヘッド２０Ｋを筐体１０Ａの外部へ搬送する際には、引掛棒７６を液滴吐出ヘッド２０Ｋの引掛具５２の引掛部５２Ａに引っ掛けた後は、操作部８６を他方側へ回転させる。ねじ棒８４を他方側に回転させることで、他方の連結軸７２Ｂが連結部９４に近づき第１腕部材７０の一端部７０Ａ及び引掛棒７６が上昇する。吊り上げ装置６０が液滴吐出ヘッド２０Ｋを吊り支持することで、他方の連結軸７２Ｂと保持部材８０の連結部９４との間に設けられたねじ棒８４には、圧縮方向（ねじ棒８４が座屈する方向）の力は作用せず、引張方向の力が作用する。【選択図】図１
2011056742.tif 000002
【特許請求の範囲】
【請求項１】
吊り上げる対象物が支持される支持部材と、
夫々の一端部が前記支持部材に対して回転自在に連結された一対の第１腕部材と、
夫々の一端部が前記第１腕部材の他端部に連結部材を介して回転自在に連結されると共に、強度部材に取り付けられるベース部材に他端部が回転自在に連結されて吊り下げられる一対の第２腕部材と、
基端部が一方の前記連結部材に連結されると共に、先端部が他方の前記連結部材を挟んで一方の前記連結部材の反対側に配置され、他方の前記連結部材を一方の前記連結部材に近づけ又は一方の前記連結部材から遠ざける方向に移動可能に他方の前記連結部材を保持する保持部材と、
前記保持部材の先端部と他方の前記連結部材との間に設けられ、前記保持部材の先端部に対して他方の前記連結部材を遠ざけて前記第１腕部材の一端部を降下させ、前記保持部材の先端部に対して他方の前記連結部材を近づけて前記第１腕部材の一端部を上昇させる昇降部材と、
を備える吊り上げ装置。
【請求項２】
前記昇降部材は、他方の前記連結部材にねじ込まれると共に前記保持部材の先端部を抜け止め状態で貫通し、又は他方の前記連結部材を抜け止め状態で貫通すると共に前記保持部材の先端部にねじ込まれ、一方側に回転させることで前記保持部材の先端部に対して他方の前記連結部材を遠ざけて前記第１腕部材の一端部を降下させ、他方側に回転させることで前記保持部材の先端部に対して他方の前記連結部材を近づけて前記第１腕部材の一端部を上昇させるねじ棒である請求項１に記載の吊り上げ装置。
【請求項３】
一方の前記連結部材に回転自在に連結された前記第２腕部材に沿って延びると共に、一端部が前記ベース部材に回転自在に連結され、他端部が前記保持部材に回転自在に連結されるリンク部材が設けられる請求項１又は２に記載の吊り上げ装置。
【請求項４】
吊り上げる対象物が収納された筐体内に支持されるレール部材と、
前記レール部材に移動可能に支持される強度部材に前記ベース部材が取り付けられる請求項１〜３何れか１項に記載の吊り上げ装置と、
を備える搬送装置。
【請求項５】
吊り上げる対象物が収納された筐体内に支持されるレール部材と、
前記レール部材に移動可能に支持される強度部材に前記ベース部材が回転自在に連結される請求項１〜３何れか１項に記載の吊り上げ装置と、
を備える搬送装置。
【請求項６】
請求項４又は５に記載の搬送装置と、
液滴を記録媒体に向けて吐出すると共に、装置本体に対する着脱時には、前記搬送装置によって吊り上げられて搬送される液滴吐出ヘッドと、
を備える画像形成装置。
【発明の詳細な説明】
【技術分野】
【０００１】
本発明は、吊り上げ装置、搬送装置、画像形成装置に関するものである。
【背景技術】
【０００２】
特許文献１には、大容量給紙装置が記載されており、この大容量給紙装置には、用紙が載せられる支持プレートを上下動させるリフト装置が設けられている。
【０００３】
このリフト装置は、支持プレートを支持すると共に端部が回転軸を介して回転自在に固定された４本の腕部材を備えている。さらに、このリフト装置は、水平方向に並んだ一対の回転軸をネジ軸により連結するいわゆるパンタグラフ式ジャッキとされている。そして、このネジ軸を回転させることで、水平方向に並んだ一対の回転軸を接近させ、又は離すことで、支持プレートを上下動させるようになっている。
【先行技術文献】
【特許文献】
【０００４】
【特許文献１】特開平１１−１４７６１８号公報
【発明の概要】
【発明が解決しようとする課題】
【０００５】
本発明の課題は、対象物を吊り上げたときに構成部材が座屈変形するのを抑制することである。
【課題を解決するための手段】
【０００６】
本発明の請求項１に係る吊り上げ装置は、吊り上げる対象物が支持される支持部材と、夫々の一端部が前記支持部材に対して回転自在に連結された一対の第１腕部材と、夫々の一端部が前記第１腕部材の他端部に連結部材を介して回転自在に連結されると共に、強度部材に取り付けられるベース部材に他端部が回転自在に連結されて吊り下げられる一対の第２腕部材と、基端部が一方の前記連結部材に連結されると共に、先端部が他方の前記連結部材を挟んで一方の前記連結部材の反対側に配置され、他方の前記連結部材を一方の前記連結部材に近づけ又は一方の前記連結部材から遠ざける方向に移動可能に他方の前記連結部材を保持する保持部材と、前記保持部材の先端部と他方の前記連結部材との間に設けられ、前記保持部材の先端部に対して他方の前記連結部材を遠ざけて前記第１腕部材の一端部を降下させ、前記保持部材の先端部に対して他方の前記連結部材を近づけて前記第１腕部材の一端部を上昇させる昇降部材と、を備えることを特徴とする。
【０００７】
本発明の請求項２に係る吊り上げ装置は、請求項１に記載において、前記昇降部材は、他方の前記連結部材にねじ込まれると共に前記保持部材の先端部を抜け止め状態で貫通し、又は他方の前記連結部材を抜け止め状態で貫通すると共に前記保持部材の先端部にねじ込まれ、一方側に回転させることで前記保持部材の先端部に対して他方の前記連結部材を遠ざけて前記第１腕部材の一端部を降下させ、他方側に回転させることで前記保持部材の先端部に対して他方の前記連結部材を近づけて前記第１腕部材の一端部を上昇させるねじ棒であることを特徴とする。
【０００８】
本発明の請求項３に係る吊り上げ装置は、請求項１又は２に記載において、  一方の前記連結部材に回転自在に連結された前記第２腕部材に沿って延びると共に、一端部が前記ベース部材に回転自在に連結され、他端部が前記保持部材に回転自在に連結されるリンク部材が設けられることを特徴とする。
【０００９】
本発明の請求項４に係る搬送装置は、吊り上げる対象物が収納された筐体内に支持されるレール部材と、前記レール部材に移動可能に支持される強度部材に前記ベース部材が取り付けられる請求項１〜３何れか１項に記載の吊り上げ装置と、を備えることを特徴とする。
【００１０】
本発明の請求項５に係る搬送装置は、吊り上げる対象物が収納された筐体内に支持されるレール部材と、前記レール部材に移動可能に支持される強度部材に前記ベース部材が回転自在に連結される請求項１〜３何れか１項に記載の吊り上げ装置と、を備えることを特徴とする。
【００１１】
本発明の請求項６に係る画像形成装置は、請求項４又は５に記載の搬送装置と、液滴を記録媒体に向けて吐出すると共に、装置本体に対する着脱時には、前記搬送装置によって吊り上げられて搬送される液滴吐出ヘッドと、を備えることを特徴とする。
【発明の効果】
【００１２】
本発明の請求項１の構成によれば、パンタグラフ式ジャッキを転用して対象物を吊り上げる場合と比して、構成部材が座屈変形するのを抑制することができる。
【００１３】
本発明の請求項２の構成によれば、パンタグラフ式ジャッキを転用して対象物を吊り上げる場合と比して、構成部材が座屈変形するのを抑制することができる。
【００１４】
本発明の請求項３の構成によれば、リンク部材が設けられない場合と比して、安定した姿勢で、対象物を吊り上げることができる。
【００１５】
本発明の請求項４の構成によれば、請求項１〜３何れか１項に記載の吊り上げ装置を備えない場合と比して、対象物を吊り上げたときに構成部材が座屈変形するのを抑制することができる。
【００１６】
本発明の請求項５の構成によれば、対象物を適宜回転することができる。
【００１７】
本発明の請求項６の構成によれば、請求項４に記載の搬送装置を備えない場合と比して、液滴吐出ヘッドを吊り上げたときに構成部材が座屈変形するのを抑制することができる。
【図面の簡単な説明】
【００１８】
【図１】本発明の実施形態に係る吊り上げ装置を示した斜視図である。
【図２】本発明の実施形態に係る吊り上げ装置を示した斜視図である。
【図３】本発明の実施形態に係る画像形成装置を示した概略構成図である。
【図４】本発明の実施形態に係る搬送装置及び液滴吐出ヘッドを示した斜視図である。
【図５】本発明の実施形態に係る搬送装置及び液滴吐出ヘッドを示した側面図である。
【図６】本発明の実施形態に係る搬送装置及び液滴吐出ヘッドを示した斜視図である。
【図７】本発明の実施形態に係る搬送装置及び液滴吐出ヘッドを示した側面図である。
【図８】本発明の実施形態に係る搬送装置及び液滴吐出ヘッドを示した斜視図である。
【図９】本発明の実施形態に係る搬送装置及び液滴吐出ヘッドを示した側面図である。
【図１０】本発明の実施形態に係る搬送装置及び液滴吐出ヘッドを示した斜視図である。
【図１１】本発明の実施形態に係る搬送装置及び液滴吐出ヘッドを示した斜視図である。
【図１２】本発明の実施形態に係る画像形成装置に採用された支持台を示した斜視図である。
【図１３】本発明の実施形態に係る搬送装置及び液滴吐出ヘッドを示した斜視図である。
【発明を実施するための形態】
【００１９】
本発明の実施形態に係る画像形成装置の一例について図１〜図１３に従って説明する。
【００２０】
（全体構成）
図３に示されるように、画像形成装置としてのインクジェット記録装置１０は、筐体１０Ａと、筐体１０Ａ内に配置され、画像が記録される前の記録媒体としてのシート部材Ｐが収容される給紙部１２と、この給紙部１２から供給されたシート部材Ｐに画像を記録する画像記録部１４と、画像記録部１４へシート部材Ｐを搬送するシート搬送手段１６と、画像記録部１４によって画像が記録され、シート搬送手段１６によって搬送されるシート部材Ｐを収容する排紙部１８と、画像記録部１４に備えられた後述する液滴吐出ヘッド２０をメンテナンス等のため、脱着する際に液滴吐出ヘッド２０を吊り上げて搬送する搬送装置５０と、を含んで構成されている。
【００２１】
なお、搬送装置５０については、詳細を後述する。また、図中の矢印ＵＰは、鉛直方向の上方を示す。
【００２２】
〔シート搬送手段〕
シート搬送手段１６は、給紙部１２に収容されたシート部材Ｐを回転しながら１枚ずつ取り出して外表面に保持する円柱状の取出ドラム２４と、回転しながら取出ドラム２４からシート部材Ｐを受け取り、受け取ったシート部材Ｐを外表面に保持しながら画像記録部１４と対向する位置に搬送する円柱状の搬送ドラム２６と、画像記録部１４によって画像が記録されたシート部材Ｐを搬送ドラム２６から回転しながら受け取り、受け取ったシート部材Ｐを外表面で保持しながら排紙部１８へ送り出す送出ドラム２８と、を備えている。
【００２３】
詳細には、取出ドラム２４、搬送ドラム２６、送出ドラム２８の外表面には、静電的吸着手段、又は吸引や粘着などの非静電的吸着手段によってシート部材Ｐが保持されるようになっている。
【００２４】
また、取出ドラム２４、搬送ドラム２６、送出ドラム２８の外表面には、回転軸３２の軸方向に延びる凹状の凹部２４Ａ、２６Ａ、２８Ａが、各ドラム２４、２６、２８の回転軸３２を挟んで２個ずつ形成されている。そして、この凹部２４Ａ、２６Ａ、２８Ａ内には、各ドラム２４、２６、２８の回転軸３２と平行に回転軸３４が設けられている。
【００２５】
さらに、凹部２４Ａ、２６Ａ、２８Ａに配置され、各ドラム２４、２６、２８の外表面から突出してシート部材Ｐの先端部を外表面との間で挟んで保持する保持部３０Ａを先端部に備えた保持具３０が回転軸３４の軸方向に所定間隔を隔てて複数個設けられている。また、この保持具３０の基端部は、回転軸３４に固定されている。
【００２６】
そして、回転軸３４を図示しないアクチュエーターによって正逆両方向に回転させることで、保持具３０が各ドラム２４、２６、２８の周方向に沿って正逆両方向に回転する。保持具３０が正逆両方向に回転することで、保持具３０の保持部３０Ａがシート部材Ｐを保持したり、離したりするようになっている。
【００２７】
つまり、保持具３０に備えられた保持部３０Ａを各ドラム２４、２６、２８の外表面から突出させて回転移動させることで、取出ドラム２４の外表面と搬送ドラム２６の外表面とが対面する受渡位置３６において、取出ドラム２４の保持具３０から搬送ドラム２６の保持具３０へシート部材Ｐを受け渡すことができ、搬送ドラム２６の外表面と送出ドラム２８の外表面とが対面する受渡位置３８において、搬送ドラム２６の保持具３０から送出ドラム２８の保持具３０へシート部材Ｐを受け渡すことができるようになっている。
【００２８】
〔画像記録部〕
搬送ドラム２６と対向して配置される画像記録部１４には、Ｙ（イエロー）、Ｍ（マゼンタ）、Ｃ（シアン）、Ｋ（ブラック）の各色の液滴を搬送ドラム２６の外表面に保持されるシート部材Ｐに吐出してシート部材Ｐに画像を形成する液滴吐出ヘッド２０Ｙ、２０Ｍ、２０Ｃ、２０Ｋが、搬送ドラム２６の回転方向の下流側からこの順で配置されている。
【００２９】
なお、以下の説明では、各色を区別する場合に符号に各色に対応する頭文字を付加し、特に区別しない場合には各色に対応する頭文字を省略して説明する。
【００３０】
本実施形態の液滴吐出ヘッド２０は、重さが２５キログラム〔Ｋｇ〕以上であって、この液滴吐出ヘッド２０には、液滴を吐出するノズル（図示省略）が形成されたノズル面２２が設けられている。そして、このノズル面２２が搬送ドラム２６の外表面に対向するように各液滴吐出ヘッド２０を支持する支持台４０（図１２参照）が搬送ドラム２６と対向して設けられている。
【００３１】
図１２に示されるように、この支持台４０は、略矩形の枠体４２と、枠体４２に固定されると共に、搬送ドラム２６（図３参照）の軸線に対して略放射状に設けられ、各色の液滴吐出ヘッド２０の着脱時に各色の液滴吐出ヘッド２０の両側縁部を案内する一対の昇降ガイド４４、４６を４組と、を備えている。
【００３２】
つまり、支持台４０は、液滴吐出ヘッド２０を支持する機能と、液滴吐出ヘッド２０の脱着時に液滴吐出ヘッド２０を案内する機能を備えている。
【００３３】
また、図３に示されるように、搬送ドラム２６の回転軸３２の軸方向（紙面奥行方向、以下単に「軸方向」という）における液滴吐出ヘッド２０の両端部には、液滴吐出ヘッド２０を吊り上げる際に引っ掛けて吊り上げる引掛具５２が設けられている。詳細には、引掛具５２の上端には、フック状の引掛部５２Ａが液滴吐出ヘッド２０の上端より上方へ突出するように設けられている。
【００３４】
一方、液滴吐出ヘッド２０をメンテナンスする際には、支持台４０に各液滴吐出ヘッド２０が支持された状態で、液滴吐出ヘッド２０を軸方向へ動かしメンテナンスポジションへ移動させるようになっている。
【００３５】
（要部構成）
次ぎに、液滴吐出ヘッド２０をメンテナンス等のため、支持台（図１２参照）から脱着する際に液滴吐出ヘッド２０を吊り上げて搬送する搬送装置５０について説明する。
【００３６】
図３、図４に示されるように、搬送装置５０は、筐体１０Ａ内であってメンテナンスポジションに移動した液滴吐出ヘッド２０の上方に配置され、インクジェット記録装置１０の骨格部材であるフレーム部材５６に固定されたレール部材５８と、レール部材５８に対して移動可能に支持され、液滴吐出ヘッド２０を吊り上げる吊り上げ装置６０と、を含んで構成されている。
【００３７】
さらに、レール部材５８は、フレーム部材５６に長手方向両端部が固定され、水平方向（液滴吐出ヘッド２０の並び方向）に延びて設けられる一対のレール部６２と、このレール部６２に対して進退自在に取り付けられる進退部６４と、自身が回転可能とされると共に進退部６４に移動可能に支持され、吊り上げ装置６０が固定される回転天板６６と、を含んで構成されている。
【００３８】
詳細には、一対のレール部６２に進退自在に取り付けられる進退部６４は、筐体１０Ａ内に納まる収納状態（図３参照）と、筐体１０Ａの側板を開放させて一部が筐体１０Ａの外部へ伸びて突出した突出状態（図９参照）とに移動可能とされている。
【００３９】
さらに、回転天板６６は、進退部６４に形成されたレール溝（図示省略）に移動可能に嵌められ、支持されている。
【００４０】
一方、図１に示されるように、回転天板６６に固定される吊り上げ装置６０は、一対の第１腕部材７０と、一対の第２腕部材７８と、を含んで構成されている。
【００４１】
詳細には、一対の第１腕部材７０の互いの一端部７０Ａは、水平方向に沿った軸回りに回転自在に連結されている。さらに、一対の第２腕部材７８の一端部７８Ａは、第１腕部材７０の他端部７０Ｂに連結部材の一例としての連結軸７２Ａ、７２Ｂを介して第１腕部材７０の一端部７０Ａの回転軸と平行な軸回りに回転自在に連結され、一対の第２腕部材７８の他端部７８Ｂは、回転天板６６に固定されるベース部材７４に第１腕部材７０の一端部７０Ａの回転軸と平行な軸回りに回転自在に連結されて吊り下げられるようになっている。
【００４２】
そして、第１腕部材７０の一端部７０Ａには、液滴吐出ヘッド２０の両端部に設けられた引掛具５２（図３参照）の引掛部５２Ａに引っ掛けられる支持部材の一例としての引掛棒７６が軸方向に突出するように設けられている。詳細には、第１腕部材７０は、引掛棒７６に対して回転自在に連結されている。
【００４３】
さらに、吊り上げ装置６０には、基端部８０Ａ（図１紙面左側の端部）が一方の連結軸７２Ａに連結され、先端部８０Ｂ（紙面右側の端部）が他方の連結軸７２Ｂを挟んで一方の連結軸７２Ａの反対側に配置されると共に、他方の連結軸７２Ｂを移動可能に保持する保持部材８０が設けられている。
【００４４】
詳細には、保持部材８０は、枠状体とされ、一方の連結軸７２Ａ及び他方の連結軸７２Ｂとを軸方外側から挟み込む挟込部９２を備えている。この挟込部９２の断面は内側が開放されたチャンネル形状とされ、この内側が開放された挟込部９２に他方の連結軸７２Ｂの両端部が挿入されることで他方の連結軸７２Ｂが挟込部９２に沿って移動可能に保持されるようになっている。
【００４５】
また、この保持部材８０の先端部８０Ｂで一対の挟込部９２を連結する連結部９４と他方の連結軸７２Ｂとの間には、保持部材８０の連結部９４を貫通し、他方の連結軸７２Ｂにねじ込まれた昇降部材の一例としてのねじ棒８４が設けられている。さらに、外周面にねじ山が形成されたねじ棒８４の端部には、ねじ棒８４を回転させて、他方の連結軸７２Ｂへの噛み合い位置を変えると共に、ねじ棒８４を連結部９４に対して抜け止め状態とする操作部８６が固定されている。詳細には、この操作部８６には円形状の貫通孔８６Ａが形成され、貫通孔８６Ａに挿入された図示せぬ工具によって、操作部８６が回転されることで、ねじ棒８４が回転されるようになっている。
【００４６】
この構成により、吊り上げ装置６０は、ねじ棒８４を回転させ、他方の連結軸７２Ｂへのねじ棒８４の噛み合い位置を変えることで、他方の連結軸７２Ｂを連結部９４から遠ざけて、第１腕部材７０の一端部７０Ａ及び引掛棒７６を矢印Ｃ方向へ降下させ、又は他方の連結軸７２Ｂを連結部９４へ近づけて、第１腕部材７０の一端部７０Ａ及び引掛棒７６を矢印Ｄ方向へ上昇させるようになっている。
【００４７】
また、一方の連結軸７２Ａに回転自在に連結された第２腕部材７８に沿って延びると共に、一端部９０Ａがベース部材７４に連結軸７２Ａと平行な軸回りに回転自在に連結され、他端部９０Ｂが保持部材８０に連結軸７２Ａと平行な軸回りに回転自在に連結されるリンク部材９０が設けられている。このため、引掛棒７６を下降及び上昇させても保持部材８０の姿勢（水平方向に配置される姿勢）が安定するようになっている。
【００４８】
（作用）
次ぎに、この吊り上げ装置６０及びレール部材５８を備える搬送装置５０使用して、液滴吐出ヘッド２０を吊り上げて搬送する方法について説明する。
【００４９】
図３、図４に示されるように、インクジェット記録装置１０を稼働させているとき（通常時）には、一対のレール部６２に進退自在に取り付けられる進退部６４は、筐体１０Ａ内に納まる収納状態とされ、進退部６４に設けられた回転天板６６に固定された吊り上げ装置６０は、引掛棒７６が液滴吐出ヘッド２０から離れるように上昇した折畳状態（図２参照）とされている。
【００５０】
ここで、液滴吐出ヘッド２０をメンテナンス等する際には、メンテナンスポジションに移動した液滴吐出ヘッド２０を支持台４０（図１２参照）から離脱させ、筐体１０Ａの外部へ搬送しなければならない。
【００５１】
図５、図６に示されるように、例えば、液滴吐出ヘッド２０Ｋを筐体１０Ａの外部へ搬送する際には、先ず、吊り下げ装置６０のねじ棒８４の端部に設けられた操作部８６の貫通孔８６Ａに工具を挿入して、ねじ棒８４を周方向の一方側へ回転させる。
【００５２】
ねじ棒８４を一方側に回転させることで、他方の連結軸７２Ｂ（図１、図２参照）へのねじ棒８４の噛み合い位置が変わり、他方の連結軸７２Ｂが連結部９４から遠ざかり第１腕部材７０の一端部７０Ａ及び引掛棒７６が降下する。
【００５３】
さらに、引掛棒７６を降下させることで、引掛棒７６が液滴吐出ヘッド２０Ｋの両端部に設けられた引掛具５２の引掛部５２Ａに近づく。そして、この状態で、引掛棒７６を引掛具５２の引掛部５２Ａに引っ掛ける。
【００５４】
図７、図８に示されるように、引掛棒７６を引掛具５２の引掛部５２Ａに引っ掛けた後は、操作部８６を周方向の他方側へ回転させる。
【００５５】
ねじ棒８４を他方側に回転させることで、他方の連結軸７２Ｂ（図１、図２参照）へのねじ棒８４の噛み合い位置が変わり、他方の連結軸７２Ｂが連結部９４に近づき第１腕部材７０の一端部７０Ａ及び引掛棒７６が上昇する。
【００５６】
引掛具５２の引掛部５２Ａを引っ掛けた状態で引掛棒７６を上昇させることで、液滴吐出ヘッド２０Ｋが、支持台４０に備えられた昇降ガイド４４、４６（図１２参照）に案内されながら上方へ吊り上げられる。
【００５７】
ここで、吊り上げ装置６０が液滴吐出ヘッド２０Ｋを吊り支持することで、引掛棒７６には鉛直方向下方に力が加わり、第１腕部材７０を介して他方の連結軸７２Ｂには連結部９４から遠ざかる方向に力が作用する。これにより、他方の連結軸７２Ｂと保持部材８０の連結部９４との間に設けられたねじ棒８４には、圧縮方向（ねじ棒８４が座屈する方向）の力は作用せず、引張方向の力が作用する。
【００５８】
図９、図１０に示されるように、液滴吐出ヘッド２０Ｋを吊り上げ装置６０で吊り上げた後は、進退部６４の一部を筐体１０Ａの外部へ突出させ、レール部材５８の進退部６４を収納状態から突出状態とする。
【００５９】
この状態で、吊り上げ装置６０が固定された回転天板６６を進退部６４に形成されたレール溝（図示省略）に沿って移動（搬送）させ、液滴吐出ヘッド２０Ｋを吊り上げた吊り上げ装置６０を筐体１０Ａ内から引き出す。
【００６０】
図１１に示されるように、回転天板６６を適宜回転させることで、筐体１０Ａ内から引き出された吊り上げ装置６０及び液滴吐出ヘッド２０Ｋが回転し、各方向から液滴吐出ヘッド２０Ｋのメンテナンスが行われる。
【００６１】
なお、メンテナンスが終了した液滴吐出ヘッド２０Ｋを、インクジェット記録装置１０へ装着する際には、前述した手順の逆を行えばよい。
【００６２】
一方、図１３に示されるように、液滴吐出ヘッド２０Ｋの隣りに配置された液滴吐出ヘッド２０Ｃを吊り上げて搬送する際には、残った（吊り上げない）液滴吐出ヘッド２０Ｋ、２０Ｍ、２０Ｙを軸方向へ移動させてから液滴吐出ヘッド２０Ｃを吊り上げ装置６０で吊り上げることで、液滴吐出ヘッド２０Ｃが筐体１０Ａの外へ搬送される。
【００６３】
同様に、液滴吐出ヘッド２０Ｍを吊り上げる場合は、液滴吐出ヘッド２０Ｃ、２０Ｋ、２０Ｙを軸方向へ移動させ、液滴吐出ヘッド２０Ｙを吊り上げる場合は、液滴吐出ヘッド２０Ｍ、２０Ｃ、２０Ｋを軸方向へ移動させるようになっている。
【００６４】
以上説明したように、他方の連結軸７２Ｂと保持部材８０の連結部９４との間にねじ棒８４を設けることで、ねじ棒８４には、引張方向の力が作用し、圧縮方向（ねじ棒８４が座屈する方向）の力は作用しない。
【００６５】
また、パンタグラフ式ジャッキを転用して液滴吐出ヘッド２０を吊り上る場合、パンタグラフ式ジャッキのねじ棒に圧縮方向の力が作用するが、吊り上げ装置６０のねじ棒８４には圧縮方向の力が作用しないため、ねじ棒８４が座屈変形することなく液滴吐出ヘッド２０Ｙが吊り上げられる。
【００６６】
また、パンタグラフ式ジャッキを転用して液滴吐出ヘッド２０を吊り上る場合、パンタグラフ式ジャッキのねじ棒に圧縮方向の力が作用するため、パンタグラフ式ジャッキのねじ棒の外径を大きくしてねじ棒の座屈を抑制しなければならないが、吊り上げ装置６０のねじ棒８４には圧縮方向の力が作用しないため、ねじ棒８４の外径を大きくする必要がなく軽量化が図られる。
【００６７】
また、第２腕部材７８に沿って配置されるリンク部材９０を設けることで、保持部材８０の姿勢（水平方向に配置される姿勢）を安定させた状態で、引掛棒７６が下降及び上昇する。
【００６８】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、ねじ棒８４は、他方の連結軸７２Ｂにねじ込まれ、保持部材８０の連結部９４を貫通するように設けられたが、ねじ棒が他方の連結軸７２Ｂを貫通し、保持部材８０の連結部９４にねじ込まれるように設けてもよい。
【００６９】
また、上記実施形態では、夫々の第１腕部材７０の一端部７０Ａを同一回転軸上で回転自在としてが、同一回転軸上でなくてもよく、夫々の第１腕部材７０の一端部７０Ａを異なる回転軸上で回転自在としてもよい。
【符号の説明】
【００７０】
１０          インクジェット記録装置（画像形成装置）
１０Ａ        筐体
２０          液滴吐出ヘッド
５０          搬送装置
５８          レール部材
６０          吊り上げ装置
６６          回転天板（強度部材）
７０          第１腕部
７０Ａ        一端部
７０Ｂ        他端部
７２Ａ        一方の連結軸（連結部材）
７２Ｂ        他方の連結軸（連結部材）
７４          ベース部材
７６          引掛棒（支持部材）
７８          第２腕部
７８Ａ        一端部
７８Ｂ        他端部
８０          保持部材
８０Ａ        基端部
８０Ｂ        先端部
８４          ねじ棒（昇降部材）
８６          操作部
９０          リンク部材
【図１】
2011056742.tif 000003
【図２】
2011056742.tif 000004
【図３】
2011056742.tif 000005
【図４】
2011056742.tif 000006
【図５】
2011056742.tif 000007
【図６】
2011056742.tif 000008
【図７】
2011056742.tif 000009
【図８】
2011056742.tif 000010
【図９】
2011056742.tif 000011
【図１０】
2011056742.tif 000012
【図１１】
2011056742.tif 000013
【図１２】
2011056742.tif 000014
【図１３】
2011056742.tif 000015